(57)【要約】【課題】スイッチ装置を操作しやすい位置に配置しながらも、目立たないようにすることができる昇降型机を提供する。【解決手段】昇降型机１は、天板２と、駆動部３と、スイッチ装置５と、制御部と、を備える。天板２は、上方向に向く第一面２１、及び第一面２１に対し上下方向の反対側に位置する第二面２２を有し、設置面に載る載置部６に対して、上下方向に移動可能に構成される。駆動部３は、天板２を上下方向に移動させる。スイッチ装置５は、操作に応じた電気信号を出力する。制御部は、電気信号に基づいて駆動部３を制御する。スイッチ装置５は、第二面２２に取り付けられている。【選択図】図１
2019154708.tif 000002
【特許請求の範囲】
【請求項１】
上方向に向く第一面、及び前記第一面に対し上下方向の反対側に位置する第二面を有し、設置面に載る載置部に対して、上下方向に移動可能な天板と、
前記天板を上下方向に移動させる駆動部と、
操作に応じた電気信号を出力するスイッチ装置と、
前記電気信号に基づいて前記駆動部を制御する制御部と、
を備え、
前記スイッチ装置は、前記第二面に取り付けられている、
昇降型机。
【請求項２】
前記天板は、前記第一面及び前記天板の端面の少なくとも一方に形成され、前記スイッチ装置の位置を示す位置表示部を有する、
請求項１の昇降型机。
【請求項３】
前記第二面は上方向に窪む窪み部を含み、
前記駆動部は前記天板に取り付けられる連結部を有し、
前記連結部の少なくとも一部は、前記窪み部の内側に位置している、
請求項１又は請求項２の昇降型机。
【請求項４】
前記駆動部に電力を供給するバッテリを更に備える、
請求項１〜３のいずれか１つの昇降型机。
【請求項５】
前記バッテリに対し電源からの電力を供給するケーブルと、
前記ケーブルを収納する収容部と、
を更に備える、
請求項４の昇降型机。
【請求項６】
前記バッテリが取り外し可能に構成されている、
請求項４の昇降型机。
【発明の詳細な説明】
【技術分野】
【０００１】
本発明は、昇降型机に関し、より詳細には、天板が上下方向に移動可能な昇降型机に関する。
【背景技術】
【０００２】
特許文献１には、従来の昇降型机が開示されている。特許文献１に記載の木製昇降テーブルは、テーブル上板と、テーブル上板を昇降させる昇降基台とを備えている。昇降基台の基台底板には、モータ箱が設けられている。
【０００３】
モータ箱の前面には、昇降ボタンが設けられている。ユーザは、昇降ボタンを操作することで、テーブル上板を昇降させることができる。
【先行技術文献】
【特許文献】
【０００４】
【特許文献１】特開２０１４−４６１８３号公報
【発明の概要】
【発明が解決しようとする課題】
【０００５】
ところで、上記特許文献１に記載の木製昇降テーブルでは、モータ箱が昇降基台の基台底板から下方向に突出している。このため、昇降ボタンが手元から離れた位置に配置されている上に、目立つという問題がある。要するに、上記特許文献１に記載の木製昇降テーブルでは、昇降ボタンを操作しにくい上に、外観を損なうという問題がある。
【０００６】
本発明は、上記事情に鑑みてなされたものであり、スイッチ装置を操作しやすい位置に配置しながらも、目立たないようにすることができる昇降型机を提供することを目的とする。
【課題を解決するための手段】
【０００７】
本発明に係る一態様の昇降型机は、天板と、駆動部と、スイッチ装置と、制御部と、を備える。天板は、上方向に向く第一面、及び前記第一面に対し上下方向の反対側に位置する第二面を有し、設置面に載る載置部に対して、上下方向に移動可能に構成される。駆動部は、前記天板を上下方向に移動させる。スイッチ装置は、操作に応じた電気信号を出力する。制御部は、前記電気信号に基づいて前記駆動部を制御する。前記スイッチ装置は、前記第二面に取り付けられている。
【発明の効果】
【０００８】
本発明は、スイッチ装置を操作しやすい位置に配置しながらも、目立たないようにすることができる、という利点がある。
【図面の簡単な説明】
【０００９】
【図１】図１は、本発明の一実施形態に係る昇降型机の斜視図である。
【図２】図２は、同上の天板を下方から見た水平断面図である。
【図３】図３は、図２におけるＡ−Ａ線断面図である。
【図４】図４Ａは、同上の平面図である。図４Ｂは、図４ＡにおけるＡ部分拡大図である。
【図５】図５Ａは、変形例１に係る天板を下方からみた斜視図である。図５Ｂは、変形例２に係る位置表示部の平面図である。
【図６】図６Ａは、変形例３に係る載置部周辺の斜視図である。図６Ｂは、変形例４に係る載置部周辺の斜視図である。図６Ｃは、変形例４の他例に係る載置部周辺の斜視図である。
【発明を実施するための形態】
【００１０】
（１）実施形態
（１．１）概略
本実施形態に係る昇降型机１は、天板２が上下方向に移動する机である。昇降型机１は、本実施形態では、図１に示すように、天板２と、駆動部３と、制御部４（図２）と、スイッチ装置５と、を備える。
【００１１】
天板２は、設置面に載る載置部６に対して、上下方向に移動可能に構成される。天板２は、上方向に向く面（以下、第一面２１）と、第一面２１に対し上下方向の反対側に位置する面（第二面２２）とを有する。
【００１２】
駆動部３は、天板２を上下方向に移動させる。スイッチ装置５は、操作に応じた電気信号を出力する。スイッチ装置５は、天板２の第二面２２に取り付けられている。制御部４は、スイッチ装置５から出力された電気信号に基づいて、駆動部３を制御する。
【００１３】
このため、本実施形態では、上下方向に天板２が移動する昇降型机１において、スイッチ装置５を操作しやすい位置に配置しながらも、スイッチ装置５を目立たないようにすることができる。
【００１４】
（１．２）詳細
以下、本実施形態に係る昇降型机１を、図面に基づいて、詳細に説明する。
【００１５】
本実施形態に係る昇降型机１は、設置面に設置されるカフェテーブル（テーブル）である。ただし、本開示では、昇降型机１は、カフェテーブルに限らず、食卓，学習机，座卓，又は演台等であってもよく、用途は限られない。
【００１６】
ここで、本開示でいう「設置面」とは、机が設置される面を意味し、例えば、床面，地面、又は、じゅうたん等の敷物の上面等が挙げられる。本実施形態では、設置面は水平面に平行であるが、本開示では、設置面は水平面でなくてもよく、また、平面でなくてもよい。
【００１７】
本実施形態に係る昇降型机１は、図１に示すように、載置部６と、カバー７と、駆動部３と、収納部８と、天板２と、制御部４（図２）と、スイッチ装置５と、バッテリ９（図２）と、を備える。
【００１８】
載置部６は、設置面に載る部分である。載置部６は、本実施形態では、設置面に置かれるのみで固定されていない。ただし、本開示において、載置部６は、設置面に載った状態で、例えば、アンカーボルト等を介して固定されてもよい。要するに、本開示において、載置部６は、設置面上に載った状態を実現できればよく、設置面に対する固定の有無は特に問わない。載置部６は、本実施形態では、フレーム６１と、複数のアジャスターボルト６２とを備える。
【００１９】
フレーム６１は、載置部６の主体を構成する部材であり、フレーム６１の下面２３は設置面に対向する。フレーム６１は、本実施形態では、上下方向に見て（以下、平面視という）Ｘ字状に形成されている。フレーム６１には、複数の雌ねじが形成されている。複数の雌ねじには、複数のアジャスターボルト６２が一対一でねじ込まれる。
【００２０】
複数のアジャスターボルト６２は、天板２の第一面２１（ここでは、上面）の水平度を調整し得る。各アジャスターボルト６２の下端面は、設置面に当たる。複数のアジャスターボルト６２は、フレーム６１の下面の複数箇所において、互いに離れて配置されている。各アジャスターボルト６２は、フレーム６１の各雌ねじに対して上下軸回りに回転することでねじ込まれており、各アジャスターボルト６２の下端面は、フレーム６１に対して、上下方向に移動し得る。載置部６は、複数のアジャスターボルト６２のうちの少なくとも１つを上下軸回りに回転させることで、天板２の第一面２１の水平度を調整し得る。
【００２１】
カバー７は、駆動部３の周囲を覆う部材である。カバー７は、本実施形態では、複数（ここでは、２つ）のパイプを備える。複数のパイプの長手方向は、上下方向に平行である。複数のパイプは、本実施形態では、第一のパイプ７１と、第二のパイプ７２とを備え、第一のパイプ７１と第二のパイプ７２とは入れ子状に配置される。
【００２２】
第一のパイプ７１は、載置部６に固定されたカバー７の一構成部材である。第一のパイプ７１の下端部は、フレーム６１に固定されている。第一のパイプ７１は、本実施形態では、断面矩形状の角パイプであり、水平断面において、第二のパイプ７２の外側を囲む。
【００２３】
第二のパイプ７２は、第一のパイプ７１に対して、上下方向に移動可能なカバー７の一構成部材である。第二のパイプ７２の上端部は、駆動部３の上端部（後述の連結部３１）を介して、天板２に取り付けられており、要するに、第二のパイプ７２は、天板２に対して固定されている。第二のパイプ７２は、駆動部３により天板２が上下方向に移動すると、第一のパイプ７１に対して移動し、これにより、カバー７は上下方向に伸縮する。
【００２４】
駆動部３は、載置部６に対し、天板２を上下方向に移動させる。駆動部３は、本実施形態では、載置部６の上方において、天板２を支持する。本実施形態に係る駆動部３は、バッテリ９から出力された電気エネルギを、上下方向の運動に変換するアクチュエータ３０と、アクチュエータ３０に設けられた連結部３１とを備える。アクチュエータ３０は、本実施形態では、モータ（不図示）と、モータの出力軸に連結されたスピンドル（不図示）と、スピンドルの回転により、スピンドルに対して上下方向に移動する移動体（不図示）とを備える。
【００２５】
ここで、本開示でいう「上下方向に移動」とは、移動時において少なくとも上方向又は下方向の成分を有することを意味する。したがって本開示では、駆動部３は、天板２を上下方向に対して傾斜する方向に移動させてもよいし、天板２を直線的に移動させるほか、ジグザグに移動させてもよい。
【００２６】
モータは、本実施形態では、載置部６に対して固定されており、出力軸の長手方向が上下方向に平行であって、出力軸が上下方向に沿った軸回りに回転可能である。スピンドルは、モータの出力軸に連結されており、上下方向に平行な回転軸回りに回転可能である。スピンドルの周囲には、例えば、回転軸回りに形成された螺旋状の突条が形成されている。移動体は、連結部３１に固定されている。移動体には、突条に引っ掛かる突起が形成されている。したがって、モータの出力軸が回転すると、スピンドルが回転し、モータに対して移動体が上下方向に移動し得る。これにより、本実施形態に係る駆動部３は、載置部６に対し、天板２を上下方向に移動させることができる。
【００２７】
ただし、上で説明した駆動部３は、一例に過ぎない。本開示では、駆動部３は、ソレノイドを駆動源とするアクチュエータであってもよいし、シリンダ（油圧，空圧，電動を含む）を駆動源とするアクチュエータであってもよい。また、モータが天板２に対して固定され、移動体が載置部６に対して固定されてもよい。
【００２８】
連結部３１は、図３に示すように、天板２に取り付けられる。連結部３１は、本実施形態では、平面視矩形状の板体であり、アクチュエータ３０の上端部に固定されている。要するに、駆動部３は、本実施形態では、駆動部３の上端部に形成された連結部３１を有する。連結部３１は、駆動部３が動作すると、上下方向に移動する。連結部３１は、本実施形態では、天板２に取り付けられている。
【００２９】
天板２は、載置部６に対して上下方向に移動可能である。天板２は、本実施形態では、平板であり、図２に示すように、平面視四角形状である。ただし、本開示では、天板２は、後述の変形例１で説明するように、平面視円形状であってもよく、形状は特に限らない。天板２は、本実施形態では、木製であるが、本開示では、アクリル板等の合成樹脂，ガラス板，金属板，又は人工大理石（人造大理石を含む）等で構成されてもよい。天板２は、図１に示すように、第一面２１と、第二面２２と、少なくとも１つの端面２５と、を備える。
【００３０】
本実施形態では、天板２は矩形状であるため、端面２５は４つある。本実施形態に係る各端面２５は、上方向に向かうほど平面視で外側に位置するように傾斜している。本実施形態では、天板２は、４つの端面２５が傾斜することで、角錐台状に形成されている。
【００３１】
第一面２１は、上方向に向く面である。第一面２１は、本実施形態では、天板２の上面であり、平面である。第一面２１は、本実施形態では、複数のアジャスターボルト６２によって、水平面に平行となるように調整される。
【００３２】
第二面２２は、天板２において、第一面２１に対し上下方向の反対側に位置する面である。第二面２２は、本実施形態では、天板２の下面２３を含む。ここで、本開示では、天板２の下面２３は、天板２の下方向を向く面のうちの最も下方に位置する面を意味する。したがって、例えば、天板２の下面２３に窪みが形成されている場合、本開示に係る第二面２２は、下面２３に加えて、窪みの底面（下方向に向く底面）と窪みの側面とを含む。
【００３３】
第二面２２は、本実施形態では、窪み部２４を含む。窪み部２４は、天板２の下面２３よりも上方向に窪む。窪み部２４は、本実施形態では、図２に示すように、平面視正方形状に形成されている。平面視において、窪み部２４の中心（図心）は、天板２の中心（図心）に一致する。窪み部２４は、図３に示すように、上底面２４１と、少なくとも１つの側面２４２（ここでは、複数の側面２４２）とを備える。
【００３４】
窪み部２４は、例えば、天板２の下面２３を座堀加工することで形成される。本実施形態では、窪み部２４の深さは、天板２の厚さ寸法の４０％以下であることが好ましく、より好ましくは、３５％以下である。具体例を１つ挙げると、天板２の厚さ寸法が、２７ｍｍであるのに対し、窪み部２４の深さが１０ｍｍである。
【００３５】
窪み部２４の内側には、図３に示すように、連結部３１の少なくとも一部が位置している。本実施形態では、連結部３１の下面２３は、天板２の下面２３よりも上方向に位置しており、連結部３１の全体が窪み部２４の内側に収容される。ただし、本開示では、連結部３１の上下方向の寸法が窪み部２４の深さよりも長くてもよく、連結部３１の一部が窪み部２４からはみ出していてもよい。
【００３６】
連結部３１は、本実施形態では、固着部を介して窪み部２４に取り付けられている。固着部は、天板２と連結部３１とを固着する。固着部は、本実施形態では、複数のねじである。ただし、本開示では、固着部は、ボルト又はピン等の他の機械要素であってもよいし、接着剤であってもよい。さらに、窪み部２４に対して、連結部３１をしまりばめにより嵌め込み、天板２と連結部３１とを固着してもよい。この場合、連結部３１を保持する窪み部２４の複数の側面２４２が固着部を構成する。
【００３７】
連結部３１は、本実施形態では、窪み部２４の上底面２４１に、ねじを介して取り付けられている。ただし、本開示では、連結部３１は、窪み部２４の複数の側面２４２のうちの少なくとも１つの側面２４２に対して取り付けられてもよい。
【００３８】
連結部３１には、収納部８が取り付けられている。収納部８は、少なくともバッテリ９のケーブル９１を収納する。収納部８は、図３に示すように、容器状に形成されており、上端部が連結部３１に固定されている。収納部８は、内部に収納空間８１を有している。収納空間８１は、本実施形態では、バッテリ９と、ケーブル９１と、制御部４とが収納されている。収納部８は、底板８２と、複数の側板８３とを備える。
【００３９】
底板８２は、収納部８の底面を構成する板材である。底板８２は、本実施形態では、矩形状の平板であるが、本開示では、下方向に膨らむシリンダ状又は半球状の板体であってもよい。本実施形態では、底板８２は水平面に平行な平板である。
【００４０】
複数の側板８３は、収納部８の側面を構成する板材である。側板８３は、底板８２に固定されており、底板８２から上方向に向かうほど、水平面における天板２の外側（縁側）に位置するように、水平面に対して傾斜している。より詳しくは、側板８３は、天板２の複数の端面２５のうちの対応する端面２５にほぼ平行である。ただし、本開示では、側板８３は、必ずしも、水平面に対して傾斜している必要はなく、水平面に対して直交してもよい。複数の側板８３のうちの少なくとも１つの側板８３には、収納開口部８４形成されている。
【００４１】
収納開口部８４は、収納空間８１と、収納空間８１の外側の空間とを通じさせる。収納開口部８４は、本実施形態では、側板８３を貫通する貫通孔で構成される。収納開口部８４は、本実施形態では、図２に示すように、矩形状に形成されている。
【００４２】
側板８３には、収納開口部８４を開閉可能に閉じる扉体８５が取り付けられている。ここで、扉体８５が「開閉可能」であるとは、収納開口部８４を開放した開放位置と、収納開口部８４を閉じた閉塞位置とに、扉体８５を切り替えることができることを意味する。扉体８５は、本実施形態では、水平面に沿った回転軸回りに回転可能に側板に取り付けられているが、本開示では、スライド式又は取り外し式等を採用してもよい。
【００４３】
図３に示すように、本実施形態では、バッテリ９及び制御部４が、収納部８に収納される。バッテリ９は、少なくとも駆動部３に電力を供給する。本実施形態に係るバッテリ９は、駆動部３及び制御部４に電力を供給する。具体的に、バッテリ９は、制御部４に対して直接給電し、駆動部３に対して、制御部４を介して間接的に給電を行う。バッテリ９は、ケーブル９１を介して、電源（例えば、商用電源）に接続することで、充電し得る。本実施形態において、ケーブル９１は、制御部９に接続されており、ケーブル９１が電源に接続されると、制御部９に給電され、かつ制御部９を介してバッテリ９にも給電される。要するに、本実施形態では、バッテリ９に充電された状態で、駆動部３及び制御部４に対しても電力を供給し得る。
【００４４】
ケーブル９１は、電源に接続され、バッテリ９に電力を供給し得る。ケーブル９１は、本実施形態では、制御部４に接続されている。ただし、本開示では、ケーブル９１は、バッテリ９に接続されてもよい。本実施形態において、ケーブル９１は、電源に接続されていない状態では、折り畳まれて収納部８に収納される。ケーブル９１の先端には、本実施形態では、電源に接続するための接続部９２が設けられている。
【００４５】
接続部９２は、本実施形態では、コンセントに差し込むプラグである。ただし、本開示では、接続部９２は、ＤＣ電源用のコネクタ、又は、ＵＳＢ（Universal Serial Bus）コネクタを始めとしたコンピュータ用のコネクタ等であってもよい。
【００４６】
制御部４は、スイッチ装置５から出力された電気信号に基づいて駆動部３を制御する。制御部４は、本実施形態では、例えば、制御基板と、ＡＣ／ＤＣコンバータと、を備えるコントロールボックスである。ただし、本開示では、制御部４は、駆動部３を制御可能であればよく、複数のスイッチ装置によって、直接的にモータの正転及び逆転を切り替えるように構成されてもよい。この場合、複数のスイッチが制御部４を構成する。
【００４７】
制御部４及びバッテリ９は、本実施形態では、連結部３１に取り付けられている。また、図２に示すように、平面視において、制御部４とバッテリ９との間には、駆動部３が配置されている。平面視において、制御部４は駆動部３に近接しており、また、バッテリ９も駆動部３に近接している。本実施形態では、駆動部３と制御部４との間の寸法ｄ２は、駆動部３とバッテリ９との間の寸法ｄ１と同じ寸法である。これにより、本実施形態では、制御部４の重量とバッテリ９の重量とを、駆動部３でバランスよく受けることができる。ここでいう「同じ寸法」とは、厳密な意味で同じ寸法であることを意味するのではなく、駆動部３に対し、バッテリ９と制御部４とがバランスをとれる程度の寸法であれば、「同じ寸法」の範疇である。
【００４８】
スイッチ装置５は、操作に応じた電気信号を出力する。スイッチ装置５は、本実施形態では、第二面２２に対し、ねじ等の固着具を介して取り付けられている。ただし、本開示では、スイッチ装置５は、接着などの手段で第二面２２に取り付けられてもよい。スイッチ装置５は、第二面２２に固定されている。スイッチ装置５は、制御部４とは別体であり、本実施形態では、天板２の第二面２２の外縁に近接する位置に配置されていて、収納部８から離れている。
【００４９】
スイッチ装置５は、制御部４に電気信号を送信可能に接続されている。本実施形態では、スイッチ装置５は、電気配線を介して、制御部４に接続されているが、本開示では、無線により、電気信号を送信可能に接続されてもよい。ここで、本開示では、無線としては、Ｗｉ−Ｆｉ（登録商標）規格，Ｂｌｕｅｔｏｏｔｈ（登録商標）規格等が例示される。
【００５０】
スイッチ装置５は、図３に示すように、上下方向の寸法ｔ２が、少なくとも天板２の上下方向の寸法ｔ１以下である。スイッチ装置５の上下方向の寸法ｔ２は、天板２の上下方向の寸法ｔ１に対して、８０％以下であることが好ましく、より好ましくは、５０％以下であり、更に好ましくは、３０％以下である。
【００５１】
スイッチ装置５は、本実施形態では、天板２の下面２３に取り付けられている。ただし、スイッチ装置５は、天板２の下面２３に形成された窪み等の凹所（この場合、凹所の上底面及び側面は第二面２２）に取り付けられてもよい。この場合、スイッチ装置５は、凹所の上底面及び側面のうちのいずれかに取り付けられる。また、スイッチ装置５の下面は、天板２の下面２３に対して、上下方向において同じ位置にあってもよい。
【００５２】
スイッチ装置５は、図２に示すように、少なくとも１つの操作面５１を有する。操作面５１は、本実施形態では、第一操作面５２と、第二操作面５３と、を備える。第一操作面５２は、ユーザによる操作に応じて、天板２の上方向への移動を指示する電気信号を出力する。第二操作面５３は、ユーザによる操作に応じて、天板２の下方向への移動を指示する電気信号を出力する。第一操作面５２及び第二操作面５３は、天板２の第二面２２の外縁のうちの少なくとも一辺に沿って並んでいる。
【００５３】
スイッチ装置５は、本実施形態では、モーメンタリ式のスイッチ装置である。ただし、本開示では、機械式のスイッチ装置だけでなく、非機械式のスイッチ装置であってもよい。機械式のスイッチとしては、モーメンタリ式のスイッチ装置のほか、オルタネイト式のスイッチ装置，トグルスイッチ装置，又はスライドスイッチ装置等が挙げられる。非機械式のスイッチ装置としては、投光器と受光器とを用いた非接触スイッチ装置，あるいは静電容量センサを用いたタッチスイッチ装置等が挙げられる。
【００５４】
第一操作面５２及び第二操作面５３は、本実施形態では、下方向に向いている。したがって、第一操作面５２及び第二操作面５３は、本実施形態では、スイッチ装置５の下方から上方向に押し操作することで、接点がＯＮの状態となる。一方、第一操作面５２及び第二操作面５３は、第一操作面５２及び第二操作面５３へのいずれかの押し操作を解くことで、接点がＯＮの状態から、接点がＯＦＦの状態に切り替わる。
【００５５】
このように、本実施形態に係る昇降型机１は、スイッチ装置５の操作面５１が下方向に向いているため、スイッチ装置５に対する押し操作の方向と、天板２の移動方向とが略平行である。このため、ユーザは、押し操作の途中で、手指が操作面５１から外れるのを抑えることができる。
【００５６】
ここでいう「下方向に向いている」とは、操作面５１が厳密な意味で、鉛直方向に平行な下方向に向いていることを意味するのではなく、スイッチ装置５に対する押し操作の方向が、天板２の移動方向に沿っていればよい。要するに、「下方向に向いている」とは、鉛直面に対して±２０°の範囲で、スイッチ装置５の操作面５１が上下方向のうちの下側を向くことを意味する。
【００５７】
ただし、本開示では、スイッチ装置５の操作面５１の向く方向は、鉛直面に対して０°以上９０°以下の範囲であればよい。本実施形態では、操作面５１は鉛直方向に向いている。
【００５８】
本実施形態に係る昇降型机１は、スイッチ装置５が天板２の第二面２２に取り付けられている。このため、昇降型机１を上方から見ると、スイッチ装置５は天板２に隠れ、スイッチ装置５の位置が分かりにくい。このため、ユーザに対してスイッチ装置５の位置を認識させるために、本実施形態では、図４Ｂに示すように、天板２に位置表示部２６が形成されている。
【００５９】
位置表示部２６は、天板２において、スイッチ装置５の位置を示す。位置表示部２６は、本実施形態では、天板２の第一面２１と、複数の端面２５のうちの１つの端面２５と、にわたって形成された複数の表示部を有する。
【００６０】
複数の表示部は、本実施形態では、第一の表示部２７と、第二の表示部２８とを有する。第一の表示部２７は、天板２における第一操作面５２に対応する位置に形成される。第二の表示部２８は、天板２における第二操作面５３に対応する位置に形成される。本実施形態では、第一の表示部２７と第一操作面５２とは、平面視において、位置表示部２６が形成された天板２の縁に直交する一直線上に並ぶ。また、本実施形態では、第二の表示部２８と第二操作面５３とは、平面視において、位置表示部２６が形成された天板２の縁に直交する一直線上に並ぶ。
【００６１】
ここでいう「対応する位置」とは、ユーザが、表示部を見て、操作面５１のおおよその位置を認識できる位置を意味する。したがって、例えば、第一の表示部２７と第一操作面５２とは、平面視において、位置表示部２６が形成された天板２の縁に直交する一直線上に並んでいなくてもよい。
【００６２】
第一の表示部２７及び第二の表示部２８の各々は、本実施形態では、切り込みで構成されている。第一の表示部２７と第二の表示部２８とは、互いに異なる表示であり、本実施形態では、平面視において、第一の表示部２７は、第二の表示部２８よりも長く形成されている。これによって、第一の表示部２７を見ると、ユーザは、第一操作面５２の位置を認識し得る。また、第二の表示部２８を見ると、ユーザは、第二操作面５３の位置を認識し得る。
【００６３】
このように、本実施形態に係る昇降型机１は、天板２が上下方向に移動可能であるにもかかわらず、スイッチ装置５が天板２の第二面２２に取り付けられていることで、スイッチ装置５を操作しやすく、かつスイッチ装置５が目立たない。したがって、本実施形態では、使い勝手を向上させながらも、昇降型机１の外観を損なうのを抑えることができる。
【００６４】
（２）変形例
上記実施形態は、本開示の様々な実施形態の一つに過ぎない。上記実施形態は、本開示の目的を達成できれば、設計等に応じて種々の変更が可能である。以下に説明する変形例は、適宜組み合わせて適用可能である。
【００６５】
（２．１）天板に係る変形例（変形例１）
上記実施形態では、天板２は、矩形状に形成されたが、図５Ａに示すように、天板２ａは円板状に形成されてもよい。本変形例の天板２ａは、図５Ａに示すように、カバー７ａが円筒形である点、天板２及び収納部８が平面視円形状である点で上記実施形態とは異なるが、他の部分は同じである。
【００６６】
変形例１に係る昇降型机１ａは、天板２ａが円板状に形成されている。天板２ａは、平面視において第一面２１の外周を囲む１つの端面２５ａを有する。端面２５ａは、下方向に位置するほど平面視における中央に位置するようにテーパ状に傾斜している。
【００６７】
収納部８ａは、上記実施形態と同様、天板２ａの第二面２２に取り付けられた連結部３１に対して取り付けられている。収納部８ａは、有底円筒状に形成されている。収納開口部８４は、本変形例では、収納部８ａの底板８２ａに形成されている。
【００６８】
底板８２ａには、収納開口部８４を開閉可能な扉体８５が取り付けられている。扉体８５は、水平軸回りに回転可能に底板８２ａに取り付けられている。
【００６９】
カバー７ａは、上記実施形態では複数の角パイプで構成されたが、本変形例では、複数の丸パイプで構成されている。本変形例のカバー７ａは、特に図示しないが、３つの丸パイプが入れ子状に配置されており、いわゆるテレスコピック構造である。
【００７０】
このような天板２ａを有する昇降型机１ａにおいても、天板２ａの第二面２２にスイッチ装置５が取り付けられているため、スイッチ装置５が操作しやすい位置に配置されながらも、スイッチ装置５が目立たない。
【００７１】
（２．２）位置表示部の変形例（変形例２）
上記実施形態では、位置表示部２６は、複数の切り込みにより構成されたが、例えば、図５Ｂに示すように、天板２の第一面２１に表示された複数の印刷表示で構成されてもよい。本変形例では、複数の印刷表示として、第一の表示部２７ａと、第二の表示部２８ａとを備える。本変形例に係る第一の表示部２７ａは、２つの点表示であり、第二の表示部２８ａは１つの点表示であり、第一の表示部２７ａと第二の表示部２８ａとは互いに異なる。これにより、ユーザは、第一操作面５２と、第二操作面５３との位置を、上方から認識し得る。
【００７２】
（２．３）カバーに係る変形例（変形例３）
上記実施形態に係るカバー７は、複数の角パイプで構成されたが、図６Ａに示すように、カバー７ａは、複数の丸パイプで構成されてもよい。この場合、丸パイプの中心軸は、上下方向に平行である。
【００７３】
また、本開示において、カバーは、丸パイプ，断面四角状の角パイプのほか、断面六角形状，又は断面八角形状の角パイプにより構成されてもよい。
【００７４】
（２．４）載置部に係る変形例（変形例４）
上記実施形態では、載置部６は、平面視Ｘ字状に形成されたが、図６Ｂに示すように、載置部６ａは円盤状に形成されてもよい。また、載置部６ｂは、平面視矩形板状に形成されてもよい。また、載置部は、平面視において丸形状，四角形状に限らず、平面視三角形状，五角形状，六角形状等の多角形であってもよい。
【００７５】
また、載置部は、板状のフレーム６１を有しなくてもよく、設置面に対して接する棒状のフレームであってもよい。また、載置部６は、上記実施形態では、天板２の水平度を調整する機能を有していたが、本開示では、天板２の水平度を調整する機能を有していなくてもよい。要するに、載置部６は、複数のアジャスターボルト６２を有していなくてもよい。さらに、複数のアジャスターボルト６２に代えて、複数のキャスターがフレーム６１に取り付けられてもよいし、アジャスター機能を有するキャスターがフレーム６１に取り付けられてもよい。
【００７６】
（２．５）その他の変形例
上記実施形態のその他の変形例を列挙する。
【００７７】
上記実施形態では、バッテリ９が収納部８に固定されており、充電の際に、ケーブル９１を介して電源に接続されたが、本開示では、バッテリ９は天板２から取り外し可能に構成されてもよい。
【００７８】
この場合、例えば、収納部８に形成された収納開口部８４をバッテリ９が通る大きさに形成し、バッテリ９を収納部８から取り外し得る構造とすることが考えられる。バッテリ９を充電した後、再度バッテリ９をコネクタ等で制御部４に電気的に接続した上で、収納開口部８４を通して、収納部８に収納すればよい。
【００７９】
上記実施形態では、カバー７は、２つのパイプで構成されたが、本開示では、カバー７は、３つ以上のパイプによってテレスコピック構造を構成してもよいし、蛇腹状のカバーとしてもよい。
【００８０】
上記実施形態では、スイッチ装置５は、第一操作面５２と第二操作面５３とを１つの筐体に備えていたが、本開示では、第一操作面５２と第二操作面５３とは、別々の筐体に設けられてもよい。
【００８１】
上記実施形態では、操作面５１は平面であったが、本開示では、操作面５１は、球面，曲面，又は凹凸面であってもよい。また、操作面５１は、上記実施形態では、平面視三角状であったが、本開示では、矢印状、丸形状，四角形状等であってもよい。
【００８２】
上記実施形態では、位置表示部２６は、天板２の第一面２１及び天板２の端面２５の両方に形成されたが、「（２．２）位置表示部２６の変形例」で説明したように、天板２の第一面２１にのみ設けられてもよいし、端面２５にのみ設けられてもよい。また、上記実施形態及び変形例２では、第一の表示部２７と第二の表示部２８とは離れていたが、本開示では、第一の表示部２７と第二の表示部２８とはつながった表示であっていてもよい。また、位置表示部２６は、第一操作面５２の位置のみを示すように構成されてもよい。
【００８３】
上記実施形態では、収納部８は、ケーブル９１を囲うように構成されたが、本開示では、収納部８は、ケーブル９１を巻き付けて収納するフックであってもよく、ケーブル９１を囲う必要はない。
【００８４】
（３）態様
以上説明したように、第１の態様に係る昇降型机（１，１ａ）は、天板（２，２ａ）と、駆動部（３）と、スイッチ装置（５）と、制御部（４）とを備える。天板（２，２ａ）は、上方向に向く第一面（２１）、及び前記第一面（２１）に対し上下方向の反対側に位置する第二面（２２）を有し、設置面に載る載置部（６，６ａ，６ｂ）に対して、上下方向に移動可能である。駆動部（３）は、天板（２，２ａ）を上下方向に移動させる。スイッチ装置（５）は、操作に応じた電気信号を出力する。制御部（４）は、電気信号に基づいて駆動部（３）を制御する。スイッチ装置（５）は、第二面（２２）に取り付けられている。
【００８５】
この態様によれば、天板（２，２ａ）にスイッチ装置（５）が取り付けられても、天板（２）の第二面（２２）にスイッチ装置（５）が取り付けられているため、スイッチ装置（５）を目立たないようにすることができる。
【００８６】
第２の態様に係る昇降型机（１，１ａ）では、第１の態様において、天板（２，２ａ）は、位置表示部（２６，２６ａ）を有する。位置表示部（２６，２６ａ）は、第一面（２１）及び天板（２）の端面（２５，２５ａ）の少なくとも一方に形成され、スイッチ装置（５）の位置を示す。
【００８７】
この態様によれば、スイッチ装置（５）を操作しようとするユーザに対して、スイッチ装置５の位置を認識させることができる。
【００８８】
第３の態様に係る昇降型机（１，１ａ）では、第１又は第２の態様において、第二面（２２）は上方向に窪む窪み部（２４）を含む。駆動部（３）は天板（２，２ａ）に取り付けられる連結部（３１）を有する。連結部（３１）の少なくとも一部は、窪み部（２４）の内側に位置している。
【００８９】
この態様によれば、連結部（３１）が天板（２，２ａ）から大きく突出するのを抑えることができ、連結部（３１）が目立つのを抑えることができる。
【００９０】
第４の態様に係る昇降型机（１，１ａ）は、第１〜３のいずれかの態様において、駆動部（３）に電力を供給するバッテリ（９）を更に備える。
【００９１】
この態様によれば、電源が近くにない場所でも、昇降型机（１，１ａ）を使用することができる上に、使用時において、ケーブル（９１）によって外観が損なわれるのを抑えることができる。
【００９２】
第５の態様に係る昇降型机（１，１ａ）は、第４の態様において、ケーブル（９１）と、収納部（８，８ａ）とを更に備える。ケーブル（９１）は、バッテリ（９）に対し電源からの電力を供給する。収納部（８，８ａ）は、ケーブル（９１）を収納可能である。
【００９３】
この態様によれば、充電時には、ケーブル（９１）を用いて、バッテリ（９）の充電を行うことができ、昇降型机（１，１ａ）の使用時には、ケーブル（９１）を収納することができる。
【００９４】
第６の態様に係る昇降型机（１，１ａ）では、第４の態様において、バッテリ（９）が取り外し可能に構成されている。
【００９５】
この態様によれば、バッテリ（９）を取り外すことができるため、予備のバッテリ（９）を準備しておくことで、使用中のバッテリ（９）の電圧が低下しても、予備のバッテリ（９）に交換することができる。
【００９６】
第２〜第６の態様に係る構成については、昇降型机（１，１ａ）に必須の構成ではなく、適宜省略可能である。
【符号の説明】
【００９７】
１，１ａ      昇降型机
２，２ａ      天板
２１      第一面
２２      第二面
２４      窪み部
２６，２６ａ    位置表示部
３        駆動部
３１      連結部
４        制御部
５        スイッチ装置
６，６ａ，６ｂ    載置部
８，８ａ      収納部
９        バッテリ
９１      ケーブル
【図１】
2019154708.tif 000003
【図２】
2019154708.tif 000004
【図３】
2019154708.tif 000005
【図４】
2019154708.tif 000006
【図５】
2019154708.tif 000007
【図６】
2019154708.tif 000008